【手続補正書】
【提出日】平成15年12月22日(2003.12.22)
【手続補正１】
【補正対象書類名】特許請求の範囲
【補正対象項目名】全文
【補正方法】変更
【補正の内容】
【特許請求の範囲】
【請求項１】
データを操作するシステムであって、
ホストシステムと、
データを収集する携帯用データ取得装置であって、前記ホストシステムとは別個の携帯用データ取得装置と、
前記携帯用データ取得装置と動作可能に結合され、前記ホストシステムへの前記データの送信、周辺機器との通信、およびデータ受信のうちの少なくとも１つを行うように構成されるワイヤレスワイドエリアネットワーク（ＷＷＡＮ）データラジオ、ワイヤレスローカルエリアネットワーク（ＷＬＡＮ）データラジオ、およびワイヤレスパーソナルエリアネットワーク（ＷＰＡＮ）データラジオのうちの少なくとも１つと、
前記携帯用データ取得装置と動作可能に結合される、前記データを格納するメモリであって、ＦＬＡＳＨメモリモジュール、ＤＲＡＭメモリモジュール、およびＮＶＤＲＡＭメモリモジュールを含むメモリと
を備えるシステム。
【請求項２】
前記携帯用データ取得装置と動作可能に結合される、前記データを受け取る少なくとも１つのデータ入力装置であって、キーパッド、タッチスクリーン、グラフィックデジタイザ、スキャナ、オーディオキャプチャデバイス、ビデオキャプチャデバイス、スイッチ、およびそれらの組み合わせからなる群から選択される少なくとも１つのデータ入力装置をさらに備える請求項１に記載のシステム。
【請求項３】
前記携帯用データ取得装置と動作可能に結合され、前記データを前記ホストシステムへ送信可能であるように構成される音響モデムおよびダイヤラをさらに備える請求項１に記載のシステム。
【請求項４】
前記携帯用データ取得装置と動作可能に結合され、ユーザにシステム情報を提供するようになっているディスプレイ、スピーカ、インジケータ、およびハードコピー印刷装置のうちの少なくとも１つをさらに備える請求項１に記載のシステム。
【請求項５】
前記携帯用データ取得装置と動作可能に結合される、協働して前記データを処理することが可能なプロセッサおよびオペレーティングシステムをさらに備える請求項１に記載の
システム。
【請求項６】
前記携帯用データ取得装置と動作可能に結合される電力管理システムであって、バッテリーと、バッテリー充電器、バッテリーテスター、バッテリー充電インジケータ、バッテリーレベルインジケータ、バッテリーインタフェース、および電力管理プロセッサのうちの少なくとも１つとを含む電力管理システムをさらに備える請求項１に記載のシステム。
【請求項７】
前記携帯用データ取得装置に動作可能に結合される、データ入力／出力を行うＩｒＤＡ通信ポートをさらに備える請求項１に記載のシステム。
【請求項８】
前記携帯用データ取得装置と動作可能に結合される、該システムの動作を容易にする診断システム、アプリケーションソフトウェアローダ、システムソフトウェアローダ、および少なくとも１つのアプリケーションプログラムインタフェースのうちの少なくとも１つをさらに備える請求項１に記載のシステム。
【請求項９】
前記携帯用データ取得装置と動作可能に結合される、緯度、経度、高度、および時間のうちの少なくとも１つを求める全地球測位システム（ＧＰＳ）センサをさらに備える請求項１に記載のシステム。
【請求項１０】
前記携帯用データ取得装置と動作可能に結合される、システムの時間調整を容易にするリアルタイムクロックをさらに備える請求項１に記載のシステム。
【請求項１１】
データを操作する携帯用データ取得装置であって、
データを受け取る少なくとも１つのデータ入力装置と、
別個の遠隔に位置するメインフレームデータリポジトリへ前記データを送信するようになっているワイヤレスワイドエリアネットワーク（ＷＷＡＮ）データラジオと、
前記データを格納するメモリであって、ＦＬＡＳＨメモリモジュール、ＤＲＡＭメモリモジュール、およびＮＶＤＲＡＭメモリモジュールを含むメモリと
を備える装置。
【請求項１２】
前記格納されたデータを前記メインフレームデータリポジトリへ送信可能であるように構成される音響モデムおよびダイヤラをさらに備える請求項１１に記載の装置。
【請求項１３】
前記ＷＷＡＮデータラジオは、前記格納されたデータを前記メインフレームデータリポジトリへ音声／データネットワークを介して送信するように構成され、該音声／データネットワークは、特定のネットワークプロトコルおよび特定のネットワーク周波数のうちの少なくとも１つを用いて前記データを送信するように構成される請求項１１に記載の装置。
【請求項１４】
データを操作する携帯用データ取得装置であって、
データを受け取る少なくとも１つのデータ入力装置と、
前記データを格納するメモリと、
遠隔に位置するメインフレームデータリポジトリへの前記格納されたデータの送信、周辺機器との通信、およびデータ受信のうちの少なくとも１つをそれぞれ行うようになっているワイヤレスワイドエリアネットワーク（ＷＷＡＮ）データラジオ、ワイヤレスローカルエリアネットワーク（ＷＬＡＮ）データラジオ、およびワイヤレスパーソナルエリアネットワーク（ＷＰＡＮ）データラジオのうちの少なくとも２つと
を備える装置。
【請求項１５】
前記メモリは、ＦＬＡＳＨメモリモジュール、ＤＲＡＭメモリモジュール、ＮＶＤＲＡ
Ｍメモリモジュール、およびそれらの組み合わせからなる群から選択される請求項１４に記載の装置。
【請求項１６】
前記ＷＷＡＮデータラジオ、前記ＷＬＡＮデータラジオ、および前記ＷＰＡＮデータラジオのうち、前記格納されたデータを前記メインフレームデータリポジトリへ送信する適切なもの１つを自動的に決定するように構成されるプロセッサをさらに備える請求項１４に記載の装置。
【請求項１７】
前記ＷＷＡＮデータラジオ、前記ＷＬＡＮデータラジオ、および前記ＷＰＡＮデータラジオのうち、前記格納されたデータを前記メインフレームデータリポジトリへ送信する適切なもの１つを手動で選択することを可能にするシステムをさらに備える請求項１４に記載の装置。
【請求項１８】
該装置がＷＷＡＮデータラジオを備える場合、該ＷＷＡＮデータラジオは、前記格納されたデータを前記メインフレームデータリポジトリへ音声／データネットワークを介して送信するように構成され、該音声／データネットワークは、特定のネットワークプロトコルおよび特定のネットワーク周波数のうちの少なくとも１つを用いて前記データを送信するように構成される請求項１４に記載の装置。
【請求項１９】
該装置がＷＬＡＮデータラジオを備える場合、該ＷＬＡＮデータラジオは、ローカルエリアシステムと通信するように構成され、該ローカルエリアシステムは、建物、施設、構内、境界、およびそれらの組み合わせのうちの少なくとも１つの内部に配置される請求項１４に記載の装置。
【請求項２０】
前記ＷＬＡＮデータラジオは、受信部をさらに備え、該受信部は、該携帯用データ取得装置が前記ローカルエリアシステムの近くにある場合に該ローカルエリアシステムから作動信号を受信するように構成され、該作動信号は、前記ＷＬＡＮデータラジオを作動させて、前記メインフレームデータリポジトリとの前記格納されたデータの通信および前記ローカルエリアシステムとのデータ通信のうちの少なくとも１つを行わせるように構成される請求項１９に記載の装置。
【請求項２１】
該装置がＷＰＡＮデータラジオを備える場合、該ＷＰＡＮデータラジオは、周辺機器と通信するように構成され、該周辺機器は、運送業界の装置、携帯電話、衛星送受信機、およびそれらの組み合わせのうちの少なくとも１つを含む請求項１４に記載の装置。
【請求項２２】
前記運送業界の装置は、運送業者のコンピュータシステム、荷受人のコンピュータシステム、プリンタ、金庫、警告装置、ドアロック、およびそれらの組み合わせのうちの少なくとも１つを含む請求項２１に記載の装置。
【請求項２３】
該装置がＷＰＡＮデータラジオを備える場合、該ＷＰＡＮデータラジオは、受信部をさらに備え、該受信部は、前記携帯用データ取得装置が前記ローカルエリアシステムの近くにある場合に前記周辺機器から作動信号を受信するように構成される請求項１９に記載の装置。
【請求項２４】
前記作動信号は、前記ＷＰＡＮデータラジオを作動させて、前記メインフレームデータリポジトリとの前記格納されたデータの通信および前記周辺機器とのデータ通信のうちの少なくとも１つを行わせるように構成される請求項２３に記載の装置。
【請求項２５】
データ収集および送信システムであって、
データを収集および格納する携帯用データ取得装置であって、ワイヤレスワイドエリア
ネットワーク（ＷＷＡＮ）通信ポート、ワイヤレスローカルエリアネットワーク（ＷＬＡＮ）通信ポート、およびワイヤレスパーソナルエリアネットワーク（ＷＰＡＮ）通信ポートのうちの少なくとも１つを備える携帯用データ取得装置と、
ワイヤレスローカルエリアネットワーク（ＷＬＡＮ）通信ポートを備え、前記携帯用データ取得装置から少なくとも１回の通信を受信し、該通信に応答して動作を行う少なくとも１つの周辺機器と、
前記ＷＷＡＮ通信ポート、前記ＷＬＡＮ通信ポート、および前記ＷＰＡＮ通信ポートのうちの前記少なくとも１つを介して前記携帯用データ取得装置と通信可能な中央ストレージシステムであって、前記携帯用データ取得装置からの前記収集および格納されたデータを受信し、該収集および格納されたデータのデータベースを形成および維持するように構成される中央ストレージシステムと
を備えるシステム。
【請求項２６】
前記少なくとも１つの周辺機器は、少なくとも１回の通信を前記携帯用データ取得装置へ送信するようにさらに構成される請求項２５に記載のシステム。
【請求項２７】
前記少なくとも１つの周辺機器は、前記中央ストレージシステムと通信可能であるようにさらに構成される請求項２５に記載のシステム。
【請求項２８】
前記少なくとも１つの周辺機器を備えるローカルエリアシステムをさらに備え、該ローカルエリアシステムは、建物、施設、構内、境界、およびそれらの組み合わせのうちの少なくとも１つの内部に配置される請求項２５に記載のシステム。
【請求項２９】
前記携帯用データ取得装置は、受信部をさらに備え、該受信部は、該携帯用データ取得装置が前記ローカルエリアシステムの近くにある場合に該ローカルエリアシステムから作動信号を受信するように構成され、該作動信号は、前記中央ストレージシステムとの前記収集および格納されたデータの通信および前記ローカルエリアシステムとの通信のうちの少なくとも１つを作動させるように構成される請求項２８に記載のシステム。
【請求項３０】
前記携帯用データ取得装置と動作可能に結合された送受信装置をさらに備え、該送受信装置は、ＷＷＡＮ通信ポート、ＷＬＡＮ通信ポート、およびＷＰＡＮ通信ポートのうちの少なくとも１つを含む請求項２５に記載のシステム。
【請求項３１】
前記中央ストレージシステムは、前記送受信装置を介して前記携帯用データ取得装置と通信可能であり、該携帯用データ取得装置からの前記収集および格納されたデータを該送受信装置を介して受信するように構成される請求項３０に記載のシステム。
【請求項３２】
データの収集、格納および送信が可能な携帯用データ取得装置であって、
ケーシングと、
前記ケーシングが収納するワイヤレスローカルエリアネットワーク（ＷＬＡＮ）データラジオ、ワイヤレスパーソナルエリアネットワーク（ＷＰＡＮ）データラジオ、およびワイヤレスワイドエリアネットワーク（ＷＷＡＮ）データラジオと、
前記ケーシングと動作可能に結合されるプロセッサ、リアルタイムクロック、メモリ、キーパッド、タッチスクリーン、グラフィックデジタイザ、スキャナ、オーディオキャプチャデバイス、ビデオキャプチャデバイス、受信機、送信機、センサ、スイッチ、ディスプレイ、スピーカ、インジケータ、警報装置、音響モデムおよびダイヤラ、携帯電話、ハードコピー印刷装置、スタイラス、バッテリー、バッテリーインタフェース、バッテリー充電器、バッテリーテスター、バッテリー充電インジケータ、バッテリーレベルインジケータ、電力管理プロセッサ、ＩｒＤＡ通信ポート、全地球測位システム（ＧＰＳ）センサ、オペレーティングシステム、診断システム、アプリケーションソフトウェアローダ、シ
ステムソフトウェアローダ、データベース、データベースマネージャ、アプリケーションプログラムインタフェース（ＡＰＩ）のうちの少なくとも１つと
を備える装置。
【請求項３３】
前記オペレーティングシステムは、Ｗｉｎｄｏｗｓ（登録商標）ＣＥオペレーティングシステムをさらに含む請求項３２に記載の装置。
【請求項３４】
前記ＷＷＡＮデータラジオ、前記ＷＬＡＮデータラジオ、および前記ＷＰＡＮデータラジオのうちの少なくとも１つは、ブルートゥースプロトコルおよびＧＰＳ／ＧＰＲＳシステムのうちの少なくとも１つを実施するように構成される請求項３２に記載の装置。
【請求項３５】
前記メモリは、ＦＬＡＳＨメモリモジュール、ＤＲＡＭメモリモジュール、およびＮＶＲＡＭメモリモジュールをさらに含む請求項３２に記載の装置。